(57)【要約】【課題】安全リングのアンカー片の形状を改良し、従来の構造の欠点を改善できる瓶蓋を提供する。【解決手段】瓶蓋は、頂点部１６、頂点部１６周縁に垂直に続く側壁１４、側壁１４に成型する内ネジヤマ１７、複数の接触点２４により側壁１４底端に連接する安全リング１５、安全リング１５内壁に成型するアンカー構造２１を備え、アンカー構造２１は複数の弧状板２２を備え、各弧状板２２の両端にはそれぞれ畳み翼２８を備え、複数の連接片２６は相互に隣接する２個の畳み翼２８の間にそれぞれ連接し、弧状板２２及び連接片２６の底端にはそれぞれ孔２２０を備える。【選択図】図２
0003169939.tif 000002
【実用新案登録請求の範囲】
【請求項１】
頂点部、前記頂点部周縁に垂直に続く側壁、前記側壁に成型する内ネジヤマ、複数の接触点により前記側壁底端に連接する安全リング、および前記安全リング内壁に成型するアンカー構造を備えた瓶蓋であって、
前記アンカー構造は、複数の弧状板を備え、
前記各弧状板の両端には、それぞれ畳み翼を備え、
相互に隣接する２個の畳み翼の間に、複数の連接片をそれぞれ連接し、
前記弧状板及び前記連接片の底端には、それぞれ孔を備えることを特徴とする瓶蓋。
【請求項２】
前記弧状板は、前記安全リングの中心方向に向かい突出して傾斜することを特徴とする請求項１に記載の瓶蓋。
【請求項３】
前記連接片は、前記安全リングの中心方向に向かい、弧状に突出することを特徴とする請求項１に記載の瓶蓋。
【請求項４】
前記連接片の弧度は、前記弧状板の弧度より小さいことを特徴とする請求項３に記載の瓶蓋。
【考案の詳細な説明】
【技術分野】
【０００１】
本考案は瓶蓋に関し、特に飲料瓶の樹脂製瓶蓋に関する。
【背景技術】
【０００２】
特許文献１に瓶蓋が開示されている。該瓶蓋は、本体と、該本体底端に連接する安全リングを備え、両者の間は、複数の点接触により接触している。
環状のアンカー片の底端は、安全リングの内壁に接触している。
該アンカー片は、連続式のプリーツ構造を呈する。
本体は、高温洗浄水を注入するための洗浄孔を備える。アンカー片と安全リング内壁の交差位置には、高温洗浄水を排出するための排水孔を２個備える。
【０００３】
特許文献２には瓶蓋が開示されている。該瓶蓋において、その安全リングのアンカー片もまた、連続式のプリーツ構造を呈する。
但し、特許文献２に開示された瓶蓋では本体とアンカー片に上記した洗浄孔と排水孔を具備していない。
【０００４】
特許文献３には瓶蓋が開示されている。該瓶蓋において、その安全リングのアンカー片は、連続した高低差のあるギザギザ状構造を備える。
特許文献３に開示された瓶蓋では、上記した洗浄孔と排水孔を具備していない。
【０００５】
しかし、上記した連続プリーツ式のアンカー片は、瓶蓋の製造に必要な樹脂材料の使用量を増やし、瓶蓋の重量も増大させてしまう。
しかも、安全リングの内壁方向に向かう弾性能力を発揮し難しくしてしまうため、瓶蓋の封鎖作業の困難性を拡大させている。
さらに、プリーツ位置に裂損が生じ易い。
本考案は、従来の瓶蓋の上記した欠点に鑑みてなされたものである。
【先行技術文献】
【特許文献】
【０００６】
【特許文献１】日本特開２００６−１６０３０１号公報
【特許文献２】米国特許第５４００９１３号明細書
【特許文献３】ドイツ特許第４１０８４５号公報
【考案の概要】
【考案が解決しようとする課題】
【０００７】
本考案が解決しようとする課題は、安全リングのアンカー片の形状を改良し、従来の構造の欠点を改善する瓶蓋を提供することである。
【課題を解決するための手段】
【０００８】
上記課題を解決するため、本考案は下記の瓶蓋を提供する。
瓶蓋は、安全リングを備え、
該安全リング内部には、環状のアンカー構造を備え、
該アンカー構造は、複数の弧状板を備え、
該各弧状板の両端には、それぞれ畳み翼を備え、複数の連接片は、相互に隣接する２個の畳み翼の間に、それぞれ連接し、
該弧状板は、該安全リングの中心方向に向かい突出し、傾斜し、
該連接片も、該安全リングの中心方向に向かい弧状に突出するが、その弧度は、該弧状板より小さく、
該弧状板及び該連接片の底端には、それぞれ孔を備える。
【考案の効果】
【０００９】
本考案の瓶蓋は、アンカー構造を備えるため、安全リングは良好な固定力を発揮することができる。そのため、瓶蓋回転のトルクに対抗でき、安全リングの固定状態を保持可能であるため、瓶蓋と安全リングとの間の接触点を、容易に断裂でき、瓶蓋の開放において省力化を図ることができる。従来のプリーツ式アンカー片と比較すると、本考案のアンカー構造は、瓶蓋の製造に必要な樹脂材料の使用量を減らすことができ、瓶蓋の重量を軽減することができ、さらに安全リング内壁方向へと良好な弾性能力を発揮可能で、また裂損の問題を減らすこともできる。
【図面の簡単な説明】
【００１０】
【図１】本考案瓶蓋により瓶口を封鎖する様子の断面図である。
【図２】本考案瓶蓋の立体断面図である。
【図３】本考案瓶蓋の縦断面図である。
【図４】図３の４−４位置における横断面図である。
【考案を実施するための形態】
【００１１】
以下に図面を参照しながら本考案を実施するための最良の形態について詳細に説明する。
【実施例】
【００１２】
図１に示すように、本考案の瓶蓋１３は、頂点部１６、頂点部１６周縁に垂直に延伸する側壁１４、側壁１４に成型する内ネジヤマ１７、側壁１４底端に連接する安全リング１５、および安全リング１５の内壁に備えるアンカー構造２１を備える。
蓋１３は、ボトル１１の瓶口１２を封鎖する。
瓶口１２は、具有該瓶蓋１３と相互に係合する外ネジヤマ１８を備える。
【００１３】
図２、３、４に示すように、安全リング１５と瓶蓋１３側壁１４は、断続状の細切口２３、及び各細切口２３の間に介在する接触点２４を備える。
該安全リング１５内壁には、アンカー構造２１を備える。
該アンカー構造２１は、複数の弧状板２２を備える。
各弧状板２２の両端には、それぞれ畳み翼２８を備え、複数の連接片２６は、相互に隣接する２個の畳み翼２８の間に、それぞれ連接する。
弧状板２２は、該安全リング１５の中心方向に向かい突出し、傾斜する。
該連接片２６も、該安全リング１５の中心方向に向かい弧状に突出するが、その弧度は、該弧状板２２より小さい。
該弧状板２５及び該連接片２６の底端には、それぞれ孔２２０を備える。
【００１４】
再び図１に示すように、瓶蓋１３によりボトル１１を封鎖する時には、該アンカー構造２１は、安全リング１５側壁方向に向かう弾性能力を備える。
そのため、スムーズに瓶口１２を通過し、折れて損壊することはない。
封鎖完成後には、該弧状板２２は、該瓶口１２の外側壁を固定し、該畳み翼２８の頂点端は、該瓶口１２のアンカー縁２５を押さえる。
こうして、安全リング１５は、瓶口１２外部に固定される。
開けるために、該瓶蓋１３に回転トルクを加えると、該安全リング１５は、該回転トルクに対応し、固定状態を保持する。
これにより、回転トルクは、該接触点２４に作用し、これを切断し、瓶蓋を開くことができる。
【００１５】
瓶蓋１３で、ボトル１１を封鎖する。
ボトル１１内部に、飲料（或いは水）をいっぱいに入れると、飲料は瓶口から溢れ、外ネジヤマ１８の陥没位置にたまり、瓶蓋１３により封鎖する時、瓶口と瓶蓋との間に残る。
これら瓶口から溢れた飲料は、汚染を回避するため、排除しなければならない。
この時、上記した孔２２０は、溢れた飲料の排出ルートを提供し、しかも弧状板２２及び弧状の連接片２６は、ロートの機能を形成するため、上記の残っている飲料は、該孔２２０に導引され、排除される。
【００１６】
上記した記載は本考案の技術内容の説明のための記載であり、本考案はこれらの記載に限定されるものではない。本考案の精神に基づく等価の応用或いは部品（構造）の転換、置換、数量の増減はすべて、本考案に含むものとする。
【符号の説明】
【００１７】
１１  ボトル
１２  瓶口
１３  瓶蓋
１４  側壁
１５  安全リング
１６  頂点部
１７  内ネジヤマ
１８  外ネジヤマ
２１  アンカー構造
２２  弧状板
２３  細切口
２４  接触点
２５  アンカー縁
２６  連接片
２８  畳み翼
２２０  孔
【図１】
0003169939.tif 000003
【図２】
0003169939.tif 000004
【図３】
0003169939.tif 000005
【図４】
0003169939.tif 000006